(57)【要約】      （修正有）【課題】風力をより遠距離へ吹送する扇風機の前網導風構造を提供する。【解決手段】かかる扇風機の前網導風構造は、扇風機に対して風力吹送を行って風力をより遠距離へと伝達可能な前網導風ユニット１であり、後枠と迅速に位置決めでき、それは前網導風ユニット１の後に接近した一側に延伸される１節の所定深さの中間リング段１１と、扇風機の後枠を平穏に配置することを許容するために、中間リング段１１の内側周辺から開口に向く一側に凹設されて、高低段差を呈して平置に適合する１節の収容空間１２と、前述した中間リング段１１の前向きの作用する一側に沿って形成される複数本の導風条１４と、吹送する風力をさらに遠距離へと容易に伝達できるようにするために、所定数本の間隔おきの導風条１４の内側の中心に接近した部位に形成される突出状の案内段１５とを備える。【選択図】図１
0003196884.tif 000002
【実用新案登録請求の範囲】
【請求項１】
扇風機の前網導風構造は、扇風機に対して風力吹送を行って風力をより遠距離へと伝達可能な前網導風ユニットであり、後枠と迅速に位置決めでき、それは前記前網導風ユニットの後に接近した一側に延伸される１節の所定深さの中間リング段と、前記扇風機の前記後枠を平穏に配置することを許容するために、前記中間リング段の内側周辺から開口に向く一側に凹設されて、高低段差を呈して平置に適合する１節の収容空間と、吹送する風力をさらに遠距離へと容易に伝達できるようにするために、所定数本の間隔おきの導風条の内側の中心に接近した部位に形成される突出状の案内段とを備えることを特徴とする、扇風機の前網導風構造。
【請求項２】
前記前網導風ユニットの後に接近した一側に延伸される前記中間リング段の開口に向く一側に凹設される前記収容空間には、所定間隔おきに少なくとも１本またはそれ以上の挟固片が設けられ、配置される前記扇風機の前記後枠に対して方位制限を施すことを特徴とする、請求項１に記載の扇風機の前網導風構造。
【請求項３】
前記前網導風ユニットの後に接近した一側に延伸される所定深さの前記中間リング段は、後から前に向かって傾斜しつつ略縮径された形態を呈し、吹送する風力に対して前に向かってさらに遠距離へと伝達する集中を施すことを特徴とする、請求項１に記載の扇風機の前網導風構造。
【請求項４】
前記前網導風ユニットの作用する一側の導風条の内側に位置する中心に接近した部位に形成される突出状を呈する案内段は、導風条の方向に沿って同一の傾斜延伸を施すことを特徴とする、請求項１に記載の扇風機の前網導風構造。
【考案の詳細な説明】
【技術分野】
【０００１】
本考案は、扇風機の前網導風構造を提供し、主に、降温するための扇風機は、使用時に前網の作用する一側に形成される導風カバーにより、吹送する風力をより遠距離／または空間へと伝達することにより、扇風機の応用として、容易に降温／または空気循環にさらに好ましい改善の余地が得られる。
【背景技術】
【０００２】
周囲温度を降下させるために用いられる扇風機の既有形態は相当に多く、その中、単一の扇風機は、原位置で所定範囲の左右方向に回転可能に／または固定方向に保持可能に風力吹動することを含み、別の形態として、所定空間／または場所の空気を適度に循環及び温度降下を施すことができる、循環扇風機が挙げられる。
【０００３】
上述するこれらの単一の扇風機または循環扇風機は、使用上に確実に予期の周囲温度降下が達成されるか、または周囲空気を良好に循環することが達成されるが、依然として存在する欠失は、前述した単一の扇風機／または循環扇風機は、使用上に風力をより遠距離へと伝送することができない。本考案者は、ここでこの類の扇風機の応用に対して風力をより遠距離へと吹送するように改善されることが可能である。
【考案の概要】
【考案が解決しようとする課題】
【０００４】
本考案は、即ち既有の単一の扇風機／または循環扇風機は、使用時に風力をより遠距離へと伝送して降温するためのより広い区域の提供／または空気循環の改善に基づいて改善されないため、前記扇風機の前網の作用する一側に導風カバーが形成される形態が期待でき、容易に風力を吹送する際に併わせて風力をより遠距離箇所へと伝達することにより、この類の扇風機の応用として、降温／または空気循環にさらに好ましい改善の余地が得られる。
【課題を解決するための手段】
【０００５】
本考案の主要目的は、扇風機に対して風力吹送を行って風力をより遠距離へと伝達可能な前網導風ユニットであり、後枠と迅速に位置決めでき、それは前網導風ユニットの後に接近した一側に延伸される１節の所定深さの中間リング段と、扇風機の前記後枠を平穏に配置することを許容するために、中間リング段の内側周辺から開口に向く一側に凹設されて、高低段差を呈して平置に適合する１節の収容空間と、前述した中間リング段の前向きの作用する一側に沿って形成される複数本の導風条と、吹送する風力をさらに遠距離へと容易に伝達できるようにするために、所定数本の間隔おきの導風条の内側の中心に接近した部位に形成される突出状の案内段とを備える、扇風機の前網導風構造を提供することである。
【０００６】
本考案の第２目的は、前網導風ユニットの後に接近した一側に延伸される中間リング段の開口に向く一側に凹設される前記収容空間には、所定間隔おきに少なくとも１本またはそれ以上の挟固片が設けられ、配置される扇風機の後枠に対して方位制限を施す、扇風機の前網導風構造を提供することである。
【０００７】
本考案の第３目的は、前網導風ユニットの後に接近した一側に延伸される所定深さの前記中間リング段は、後から前に向かって傾斜しつつ略縮径された形態を呈し、吹送する風力に対して前に向かってさらに遠距離へと伝達する集中を施す、扇風機の前網導風構造を提供することである。
【０００８】
本考案の第４目的は、前網導風ユニットの作用する一側の導風条の内側に位置する中心に接近した部位に形成される突出状を呈する案内段は、導風条の方向に沿って同一の傾斜延伸を施す、扇風機の前網導風構造を提供することである。
【図面の簡単な説明】
【０００９】
【図１】本考案の導風カバーの構成要素を示す後面斜視図である。
【図２】本考案の導風カバーと扇風機を組立てる前の状態を示す斜視図である。
【図３】本考案の導風カバーと扇風機を組立てる前の状態を示す側面模式図である。
【図４】本考案の導風カバーと扇風機を組立て完成した状態を示す部分断面図である。
【図５】本考案の導風カバーと扇風機を組立て完成した状態を示す側面模式図である。
【考案を実施するための形態】
【００１０】
本考案が設計する扇風機の前網導風構造（図１、図２参照）は、主に扇風機３に対して風力吹送を行って風力をさらに遠距離へと伝達可能な前網導風ユニット１であり、後枠２と迅速に位置決めでき、それは前網導風ユニット１の後に接近した一側に延伸される１節の所定深さの中間リング段１１と、扇風機の後枠２を平穏に配置することを許容するために、中間リング段１１の内側周辺から開口に向く一側に凹設されて、１節の平置面に適合する収容空間１２と、前述した中間リング段１１の前向きの作用する一側に沿って形成される複数本の渦巻形態を呈して延伸される導風条１４と、所定数本の間隔おきの導風条１４の内側の中心に接近した部位に形成される突出状の案内段１５とを備える。前記中間リング段１１は、後から前に向かって傾斜しつつ略縮径された形態（図３参照）を呈し、吹送する風力に対して前に向かってより遠距離へと伝達する集中設置を施す。前記前述した凹設される収容空間１２には、所定間隔おきに少なくとも１本またはそれ以上の挟固片１３が設けられ、配置される扇風機の後枠２に対して方位制限を施す。前記案内段１５は、導風条１４の方向に沿って同一の傾斜延伸を施す。
【００１１】
上述した前網導風ユニット１と、扇風機の後枠２との組立て実施（図３参照）については、前網導風ユニット１の後に接近した一側の中間リング段１１を、後枠２に前向きの一側のリング部２１に対応することにより、リング部２１を中間リング段１１の後向きに凹設される平置面を有する１節の収容空間１２に配置させ（図４参照）、そして前網導風ユニット１の収容空間１２に位置する所定間隔おきに形成される挟固片１３により、差し込む後枠２の当該節のリング部２１に対して方位制限を施すと、前網導風ユニット１と扇風機の後枠２を迅速な操作下で、正確な位置決めが得られる。
【００１２】
なお、前記前端の組立ては、前網導風ユニット１の扇風機３（図５参照）を作動させることで、風力吹送を行い、吹送する風力を前網導風ユニット１の後に接近した一側に沿って延伸される当該節の漸縮状の中間リング段１１により、風力集中を施し、風力を前網導風ユニット１のその作用する一側に形成される複数本の渦巻形態を呈して延伸される導風条１４、及び所定数本の間隔おきの導風条１４の内側の中心に接近した部位に形成される突出状の案内段１５に沿って、風力を渦巻状に集中して前に向かって引き出すことにより、扇風機３の作用する一側に組立てられる前網導風ユニット１は、吹送する風力をさらに遠距離へと伝達することができる。
【符号の説明】
【００１３】
１：前網導風ユニット
１１：中間リング段
１２：収容空間
１３：挟固片
１４：導風条
１５：案内段
２：後枠
２１：リング部
３：扇風機
【図１】
0003196884.tif 000003
【図２】
0003196884.tif 000004
【図３】
0003196884.tif 000005
【図４】
0003196884.tif 000006
【図５】
0003196884.tif 000007